【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
物品であって、
金属基材と、
前記金属基材の少なくとも一部上に塗布された、ビスフェノールＡ又はビスフェノールＡのジグリシジルエーテルを実質的に含まないコーティング組成物と、
を有する包装用容器、又はその一部を含み、
前記コーティング組成物が、
下記式（Ｉ）：
【化１】
2014510162.tif 000001
（式中、
式（Ｉ）で示される酸素原子のそれぞれが、エーテル結合中に存在し；
各Ｒ１が独立して、少なくとも１５ダルトンの原子量を有する原子又は基であり；
ｖは独立して１〜４であり；
ｗは４であり；
式（Ｉ）で示されるフェニレン基のそれぞれが、示された酸素原子に対してオルト位で環に結合する少なくとも１つのＲ１を含有し；
Ｒ２は、存在する場合、二価の基であり；
ｎは０又は１であり；ただし、ｎが０である場合、式（Ｉ）で示されるフェニレン基が、必要に応じて結合して、縮合環系を形成することができ、この場合、ｗは３であり；
２つ以上のＲ１及び／又はＲ２基は結合して、１つ以上の環式基を形成することができる）の１つ以上のセグメントを含有するポリエーテルポリマーを含む、物品。
【請求項２】
式（Ｉ）に記載の各フェニレン基が、エーテル酸素原子に対して両オルト位で環に結合するＲ１’（複数）を含有する、請求項１に記載の物品。
【請求項３】
オルト位で、示されたフェニレン基の環に結合する少なくとも１つのＲ１のそれぞれが、独立して、有機基又はイオウ含有基から選択され；
各Ｒ１が、ハロゲン原子を含まない、請求項１又は２に記載の物品。
【請求項４】
示されたフェニレン基の環に結合する少なくとも１つのＲ１のそれぞれが、１個又は２個の炭素原子を含有する有機基である、請求項１〜３のいずれか一項に記載の物品。
【請求項５】
ｎが１であり、Ｒ２が、１〜１０個の炭素原子を有する有機基であり、式（Ｉ）で示される各フェニレン基のエーテル酸素原子が、Ｒ２に対してパラ位に位置する、請求項１〜４のいずれか一項に記載の物品。
【請求項６】
ｎが１であり、前記式（Ｉ）のセグメントが、６００ダルトン未満の原子量を有する、請求項１に記載の物品。
【請求項７】
ｎが１であり、Ｒ２が二価のメチレン基である、請求項１〜６のいずれか一項に記載の物品。
【請求項８】
前記ポリエーテルポリマーが、４，４’−メチレンビス（２，６−ジ−ｔ−ブチルフェノール）のジグリシジルエーテル、２，２’−メチレンビス（４−メチル−６−ｔ−ブチルフェノール）のジグリシジルエーテル、４，４’−メチレンビス（２，６−ジメチルフェノール）のジグリシジルエーテル、４，４’ブチリデンビス（２−ｔ−ブチル−５−メチルフェノール）のジグリシジルエーテル、又はこれらの誘導体の１つ以上に由来の式（Ｉ）の１つ以上のセグメントを含有する、請求項１〜７のいずれか一項に記載の物品。
【請求項９】
−ＣＨ２−ＣＨ（ＯＨ）−ＣＨ２−セグメントが、式（Ｉ）で示される酸素原子のそれぞれに結合し；
前記ポリエーテルポリマーが、前記コーティング組成物の硬化の前に、少なくとも７０℃のガラス転移温度を有する、請求項１〜８のいずれか一項に記載の物品。
【請求項１０】
前記ポリエーテルポリマーが、ポリエポキシド及び多価フェノールを含有する反応体の反応生成物を含む、請求項１〜９のいずれか一項に記載の物品。
【請求項１１】
前記ポリエポキシドが、式（Ｉ）のセグメントを含有するジグリシジルエーテルを含む、請求項１０に記載の物品。
【請求項１２】
前記包装用容器又はその一部が、食品又は飲料用容器又はそれらの部分である、請求項１〜１１のいずれか一項に記載の物品。
【請求項１３】
コーティング組成物であって、
前記コーティング組成物の総樹脂固体を基準として、少なくとも１０重量％の、少なくとも２，０００の数平均分子量を有するポリエーテルポリマーであって、前記ポリエーテルポリマーが、
下記式（Ｉ）：
【化２】
2014510162.tif 000002
（式中、
式（Ｉ）で示される酸素原子のそれぞれが、エーテル結合中に存在し；
各Ｒ１が独立してハロゲン又は水素以外の原子又は基であり、少なくとも１個の炭素原子を有する基、硫黄含有基、又はオキシラン基と反応しない基を含み；
ｖは独立して１〜４であり；
ｗは４であり；
式（Ｉ）で示されるフェニレン基のそれぞれが、示された酸素原子に対してオルト位で環に結合する、少なくとも１つのＲ１を含有し；
存在する場合、Ｒ２は二価の基であり；
ｎは０又は１であり；ただし、ｎが０である場合、式（Ｉ）で示されるフェニレン基は、必要に応じて結合して、縮合環を形成することができ、この場合、ｗは３であり；
２つ以上のＲ１及び／又はＲ２基は結合して、１つ以上の環式基を形成することができる）の１つ以上のセグメントと；
−ＣＨ２−ＣＨ（ＯＨ）−ＣＨ２−セグメントと；を含有する、ポリエーテルポリマーと；
液体担体と；を含み、
前記コーティング組成物が、ビスフェノールＡ又はビスフェノールＡのジグリシジルエーテルを実質的に含まず、かつ食品又は飲料用容器又はそれらの一部の食品に接触するコーティングの形成における使用に好適である、コーティング組成物。
【請求項１４】
前記ポリエーテルポリマーが、
式（Ｉ）のセグメントを含有するジグリシジルエーテル化合物と、
多価フェノールと、を有する成分の反応生成物を含む、請求項１３に記載のコーティング組成物。
【請求項１５】
前記ジグリシジルエーテル化合物が、遺伝毒性ではなく、かつ−２．０未満のＭＣＦ−７細胞増殖アッセイにおける対数相対増殖効果値を呈する二価フェノールに由来する、請求項１４に記載のコーティング組成物。
【請求項１６】
前記ジグリシジルエーテル化合物が、４，４’−メチレンビス（２，６−ジ−ｔ−ブチルフェノール）のジグリシジルエーテル、２，２’−メチレンビス（４−メチル−６−ｔ−ブチルフェノール）のジグリシジルエーテル、４，４’−メチレンビス（２，６−ジメチルフェノール）のジグリシジルエーテル、４，４’ブチリデン（２−ｔ−ブチル−５−メチルフェノール）のジグリシジルエーテル、又はこれらの誘導体若しくは混合物を含む、請求項１４に記載のコーティング組成物。
【請求項１７】
コーティング組成物が溶媒系コーティング組成物であり、前記式（Ｉ）のセグメントが、前記ポリエーテルポリマーの重量を基準として、かつ前記ポリエーテルポリマーに任意に結合する場合がある他の任意のオリゴマー又はポリマーを考慮に入れずに、前記ポリエーテルポリマーの少なくとも３０重量％を構成する、請求項１３〜１６のいずれか一項に記載のコーティング組成物。
【請求項１８】
コーティング組成物が水系コーティング組成物であり、前記式（Ｉ）のセグメントが、前記ポリエーテルポリマーの重量を基準として、かつ前記ポリエーテルポリマーに任意に結合する場合がある他の任意のオリゴマー又はポリマーを考慮に入れずに、前記ポリエーテルポリマーの少なくとも３０重量％を構成する、請求項１３〜１７のいずれか一項に記載のコーティング組成物。
【請求項１９】
方法であって、
金属基材を提供することと、
請求項１３〜１８のいずれか一項に記載のコーティング組成物を、前記基材の少なくとも一部に塗布することと、を含む、方法。
【請求項２０】
前記金属基材を、食品又は飲料用容器又はそれらの一部に成形させることを更に含む、請求項１９に記載の方法。
【請求項２１】
前記コーティング組成物は約３〜約１２マイクロメートルの全平均の乾燥皮膜厚さを有する、請求項１〜１２のいずれか一項に記載の物品。
【請求項２２】
前記多価フェノールが、ヒドロキノン、カテコール、ｐ−第三級−ブチルカテコール、レゾルシノール、又はその混合物を含む、請求項１〜１２又は２１のいずれか一項に記載の物品。
【手続補正２】
【補正対象書類名】明細書
【補正対象項目名】０２５８
【補正方法】変更
【補正の内容】
【０２５８】
本明細書に引用する全ての特許、特許出願及び公開公報、並びに電子的に入手可能な資料の完全な開示内容を援用する。上記の詳細な説明及び実施例は、あくまで理解を助けるために示したものである。これらによって不要な限定をするものと理解されるべきではない。本発明は、示され記載された厳密な詳細事項に限定されるべきではないが、当業者に対して明らかな変形が特許請求の範囲において規定される本発明の範囲に包含される。いくつかの実施形態では、本明細書に例示的に開示された本発明は、本明細書に具体的に開示されていない任意の要素の不在下で好適に実行されてもよい。
以下に、本願出願時の特許請求の範囲を記載する。
［請求項１］
粉末コーティング組成物であって、
下記式（Ｉ）：
【化１８】
2014510162.tif 000003
（式中、
式（Ｉ）で示される酸素原子のそれぞれは、エーテル結合中に存在し；
各Ｒ１は独立して、少なくとも１５ダルトンの原子量を有する原子又は基であり；
ｖは独立して１〜４であり；
ｗは４であり；
式（Ｉ）で示されるフェニレン基のそれぞれは、示された酸素原子に対してオルト又はメタ位で環に結合する、少なくとも１つのＲ１を含有し；
Ｒ２は、存在する場合、二価の基であり；
ｎは０又は１であり；ただし、ｎが０である場合、式（Ｉ）で示されるフェニレン基は、必要に応じて結合して、縮合環系を形成することができ、この場合、ｗは３であり；
２つ以上のＲ１及び／又はＲ２基は結合して、１つ以上の環式基を形成することができる）の１つ以上のセグメントを含有するポリエーテルポリマーを含む基粉体を含み、
前記粉末コーティング組成物は、ＢＰＡ及びＢＡＤＧＥを実質的に含まず、接着性コーティングの形成における使用に好適である、粉末コーティング組成物。
［請求項２］
式（Ｉ）で示されるフェニレン基のそれぞれは、エーテル酸素原子に対してオルト位で環に結合する、少なくとも１つのＲ１を含有する、請求項１に記載の粉末コーティング組成物。
［請求項３］
式（Ｉ）で示される各フェニレン基が、エーテル酸素原子に対して両オルト位で環に結合するＲ１’（複数）を含有する、請求項２に記載の粉末コーティング組成物。
［請求項４］
式（Ｉ）で示されるフェニレン基のそれぞれの、１つ以上のオルト配置されたＲ１が、それぞれ有機基である、請求項２又は３に記載の粉末コーティング組成物。
［請求項５］
１つ以上のオルト配置されたＲ１が、独立して、メチル又はエチル基を含む、請求項４に記載の粉末コーティング組成物。
［請求項６］
各Ｒ１がハロゲン原子を含まない、請求項１〜５のいずれか一項に記載の粉末コーティング組成物。
［請求項７］
前記ポリエーテルポリマーが、４，４’−メチレンビス（２，６−ジ−ｔ−ブチルフェノール）のジグリシジルエーテル、２，２’−メチレンビス（４−メチル−６−ｔ−ブチルフェノール）のジグリシジルエーテル、４，４’−メチレンビス（２，６−ジメチルフェノール）のジグリシジルエーテル、４，４’ブチリデンビス（２−ｔ−ブチル−５−メチルフェノール）のジグリシジルエーテル、又はこれらの誘導体の１つ以上に由来の式（Ｉ）の１つ以上のセグメントを含有する、請求項１に記載の粉末コーティング組成物。
［請求項８］
ｎが１であり、式（Ｉ）のセグメントが６００ダルトン未満の原子量を有する、請求項１〜７のいずれか一項に記載の粉末コーティング組成物。
［請求項９］
ｎが１であり；
Ｒ２が、１〜１０個の炭素原子を有する有機基であり；
式（Ｉ）で示される各フェニレン基のエーテル酸素原子が、Ｒ２に対してパラ位に位置する、請求項１〜８のいずれか一項に記載の粉末コーティング組成物。
［請求項１０］
前記ポリエーテルポリマーが、
式（Ｉ）のセグメントを含有するポリエポキシド化合物と、
多価フェノールと、を有する成分の反応生成物を含む、請求項１〜９のいずれか一項に記載の粉末コーティング組成物。
［請求項１１］
前記ポリエーテルポリマーが、前記粉末コーティング組成物の硬化の前に、少なくとも４０℃のガラス転移温度を有する、請求項１〜１０のいずれか一項に記載の粉末コーティング組成物。
［請求項１２］
前記粉末コーティング組成物が、総樹脂固体を基準として、少なくとも５０重量％の前記ポリエーテルポリマーを含有する熱硬化性組成物である、請求項１〜１１のいずれか一項に記載の粉末コーティング組成物。
［請求項１３］
前記基粉体が、約２０マイクロメートル〜約１５０マイクロメートルの中央粒径を有する、請求項１〜１２のいずれか一項に記載の粉末コーティング組成物。
［請求項１４］
前記ポリエーテルポリマーが、１，０００〜６，０００の数平均分子量を有する、請求項１〜１３のいずれか一項に記載の粉末コーティング組成物。
［請求項１５］
架橋剤を更に含む、請求項１〜１４のいずれか一項に記載の粉末コーティング組成物。
［請求項１６］
前記架橋剤が、フェノール性架橋剤、置換若しくは非置換のジシアンジアミド、又はこれらの組み合わせを含む、請求項１５に記載の粉末コーティング組成物。
［請求項１７］
硬化促進剤を更に含む、請求項１〜１６のいずれか一項に記載の粉末コーティング組成物。
［請求項１８］
流動化剤粉体を更に含む、請求項１〜１７のいずれか一項に記載の粉末コーティング組成物。
［請求項１９］
物品であって、
液体を搬送又は貯蔵するための物品の金属基材と、
前記金属基材の少なくとも一部上に堆積した硬化された熱硬化性コーティングと、を含み、前記コーティングは、請求項１〜１８のいずれか一項に記載の前記粉末組成物から形成される、物品。
［請求項２０］
飲料水を搬送又は貯蔵するための物品である、請求項１９に記載の物品。
［請求項２１］
水用弁又は水用取付部品である、請求項２０に記載の物品。
［請求項２２］
前記硬化されたコーティングが、飲料水との接触が意図される表面上に位置する、請求項２０又は２１に記載の物品。
［請求項２３］
方法であって、
金属基材を提供することと、
請求項１〜１９のいずれか一項に記載の粉末コーティング組成物を、前記金属基材に塗布することと、
前記粉末コーティング組成物の塗布前に、塗布中に、又は塗布後に、前記金属基材を加熱して、前記粉末コーティング組成物から硬化されたコーティングを形成することと、を含む、方法。
［請求項２４］
物品であって、
金属基材と、
前記金属基材の少なくとも一部上に塗布された、ビスフェノールＡ又はビスフェノールＡのジグリシジルエーテルを実質的に含まないコーティング組成物と、を有する包装用容器、又はその一部を含み、前記コーティング組成物が、
下記式（Ｉ）：
【化１９】
2014510162.tif 000004
（式中、
式（Ｉ）で示される酸素原子のそれぞれが、エーテル結合中に存在し；
各Ｒ１が独立して、少なくとも１５ダルトンの原子量を有する原子又は基であり；
ｖは独立して１〜４であり；
ｗは４であり；
式（Ｉ）で示されるフェニレン基のそれぞれが、示された酸素原子に対してオルト位で環に結合する少なくとも１つのＲ１を含有し；
Ｒ２は、存在する場合、二価の基であり；
ｎは０又は１であり；ただし、ｎが０である場合、式（Ｉ）で示されるフェニレン基が、必要に応じて結合して、縮合環系を形成することができ、この場合、ｗは３であり；
２つ以上のＲ１及び／又はＲ２基は結合して、１つ以上の環式基を形成することができる）の１つ以上のセグメントを含有するポリエーテルポリマーを含む、物品。
［請求項２５］
式（Ｉ）に記載の各フェニレン基が、エーテル酸素原子に対して両オルト位で環に結合するＲ１’（複数）を含有する、請求項２５に記載の物品。
［請求項２６］
オルト位で、示されたフェニレン基の環に結合する少なくとも１つのＲ１のそれぞれが、独立して、有機基又はイオウ含有基から選択され；
各Ｒ１が、ハロゲン原子を含まない、請求項２４又は２５に記載の物品。
［請求項２７］
オルト位で、示されたフェニレン基の環に結合する少なくとも１つのＲ１のそれぞれが、独立して、メチル、エチル、プロピル、ブチル、又はこれらの異性体から選択される基である、請求項２６に記載の物品。
［請求項２８］
示されたフェニレン基の環に結合する少なくとも１つのＲ１のそれぞれが、１個又は２個の炭素原子を含有する有機基である、請求項２４〜２７のいずれか一項に記載の物品。
［請求項２９］
式（Ｉ）で示される各フェニレン基のエーテル酸素原子が、（ｉ）Ｒ２に対して、又は（ｉｉ）ｎが０であり、かつＲ２が不在の場合、環−環共有結合に対してパラ位に位置する、請求項２４〜２８のいずれか一項に記載の物品。
［請求項３０］
ｎが１であり、前記式（Ｉ）のセグメントが、６００ダルトン未満の原子量を有する、請求項２４〜２９のいずれか一項に記載の物品。
［請求項３１］
ｎが１であり、Ｒ２が、１〜１０個の炭素原子を有する有機基である、請求項２４〜３０のいずれか一項に記載の物品。
［請求項３２］
ｎが１であり、Ｒ２が、構造−Ｃ（Ｒ７Ｒ８）−（式中Ｒ７及びＲ８は、それぞれ独立して、水素原子、ハロゲン原子、有機基、イオウ含有基、又は窒素含有基であり、またＲ７及びＲ８は、必要に応じて結合して、環式基を形成することができる）である、請求項２４〜３１のいずれか一項に記載の物品。
［請求項３３］
前記ポリエーテルポリマーが、４，４’−メチレンビス（２，６−ジ−ｔ−ブチルフェノール）のジグリシジルエーテル、２，２’−メチレンビス（４−メチル−６−ｔ−ブチルフェノール）のジグリシジルエーテル、４，４’−メチレンビス（２，６−ジメチルフェノール）のジグリシジルエーテル、４，４’ブチリデンビス（２−ｔ−ブチル−５−メチルフェノール）のジグリシジルエーテル、又はこれらの誘導体の１つ以上に由来の式（Ｉ）の１つ以上のセグメントを含有する、請求項２４〜３２のいずれか一項に記載の物品。
［請求項３４］
−ＣＨ２−ＣＨ（ＯＨ）−ＣＨ２−セグメントが、式（Ｉ）で示される酸素原子のそれぞれに結合し；
前記ポリエーテルポリマーが、前記コーティング組成物の硬化の前に、少なくとも７０℃のガラス転移温度を有する、請求項２４〜３３のいずれか一項に記載の物品。
［請求項３５］
前記ポリエーテルポリマーが、複数個の下記のセグメント：
−Ｏ−Ａｒ−（Ｙｕ−Ａｒ）ｔ−Ｏ−
（式中、
ｔ及びｕは、それぞれ１であり；
Ｙは、１つ以上のエステル結合を含有する、５００未満の分子量を有する二価の有機基である）を含有する、請求項２４〜３４のいずれか一項に記載の物品。
［請求項３６］
前記ポリエーテルポリマーが、ポリエポキシド及び多価フェノールを含有する反応体の反応生成物を含む、請求項２４〜３５のいずれか一項に記載の物品。
［請求項３７］
前記ポリエポキシドが、式（Ｉ）のセグメントを含有するジグリシジルエーテルを含む、請求項３６に記載の物品。
［請求項３８］
前記包装用容器又はその一部が、食品又は飲料用容器又はそれらの部分である、請求項２４〜３７のいずれか一項に記載の物品。
［請求項３９］
コーティング組成物であって、
前記コーティング組成物の総樹脂固体を基準として、少なくとも１０重量％の、少なくとも２，０００の数平均分子量を有するポリエーテルポリマーであって、前記ポリエーテルポリマーが、
下記式（Ｉ）：
【化２０】
2014510162.tif 000005
（式中、
式（Ｉ）で示される酸素原子のそれぞれが、エーテル結合中に存在し；
各Ｒ１が独立して、少なくとも１５ダルトンの原子量を有する、ハロゲン以外の原子又は基であり；
ｖは独立して１〜４であり；
ｗは４であり；
式（Ｉ）で示されるフェニレン基のそれぞれが、独立して、（ｉ）有機基又はイオウ含有基から選択される、並びに（ｉｉ）示された酸素原子に対してオルト位で環に結合する、少なくとも１つのＲ１を含有し；
存在する場合、Ｒ２は二価の基であり；
ｎは０又は１であり；ただし、ｎが０である場合、式（Ｉ）で示されるフェニレン基は、必要に応じて結合して、縮合環を形成することができ、この場合、ｗは３であり；
２つ以上のＲ１及び／又はＲ２基は結合して、１つ以上の環式基を形成することができる）の１つ以上のセグメントと；
−ＣＨ２−ＣＨ（ＯＨ）−ＣＨ２−セグメントと；を含有する、ポリエーテルポリマーと；
液体担体と；を含み、
前記コーティング組成物が、ビスフェノールＡ又はビスフェノールＡのジグリシジルエーテルを実質的に含まず、かつ食品又は飲料用容器又はそれらの一部の食品に接触するコーティングの形成における使用に好適である、コーティング組成物。
［請求項４０］
前記ポリエーテルポリマーが、
式（Ｉ）のセグメントを含有するジグリシジルエーテル化合物と、
多価フェノールと、を有する成分の反応生成物を含む、請求項３９に記載のコーティング組成物。
［請求項４１］
前記ジグリシジルエーテル化合物が、遺伝毒性ではなく、かつ−２．０未満のＭＣＦ−７細胞増殖アッセイにおける対数相対増殖効果値を呈する二価フェノールに由来する、請求項４０に記載のコーティング組成物。
［請求項４２］
前記ジグリシジルエーテル化合物が、４，４’−メチレンビス（２，６−ジ−ｔ−ブチルフェノール）のジグリシジルエーテル、２，２’−メチレンビス（４−メチル−６−ｔ−ブチルフェノール）のジグリシジルエーテル、４，４’−メチレンビス（２，６−ジメチルフェノール）のジグリシジルエーテル、４，４’ブチリデン（２−ｔ−ブチル−５−メチルフェノール）のジグリシジルエーテル、又はこれらの誘導体若しくは混合物を含む、請求項４０に記載のコーティング組成物。
［請求項４３］
コーティング組成物が溶媒系コーティング組成物である、請求項３９〜４２のいずれか一項に記載のコーティング組成物。
［請求項４４］
コーティング組成物が水系コーティング組成物である、請求項３９〜４３のいずれか一項に記載のコーティング組成物。
［請求項４５］
前記式（Ｉ）のセグメントが、前記ポリエーテルポリマーの重量を基準として、かつ前記ポリエーテルポリマーに任意に結合する場合がある他の任意のオリゴマー又はポリマーを考慮に入れずに、前記ポリエーテルポリマーの少なくとも３０重量％を構成する、請求項３９〜４４のいずれか一項に記載のコーティング組成物。
［請求項４６］
方法であって、
金属基材を提供することと、
請求項３９〜４５のいずれか一項に記載のコーティング組成物を、前記基材の少なくとも一部に塗布することと、を含む、方法。
［請求項４７］
前記金属基材を、食品又は飲料用容器又はそれらの一部に成形させることを更に含む、請求項４６に記載の方法。